【手続補正書】
【提出日】平成20年8月11日(2008.8.11)
【手続補正１】
【補正対象書類名】明細書
【補正対象項目名】０００３
【補正方法】変更
【補正の内容】
【０００３】
これに対して同様の動画記録装置であるＤＶＤ（Digital Versatile Disk）レコーダーは、同様に、ＭＰＥＧ２の手法によりビデオデータ及びオーディオデータをデータ圧縮して所定フォーマットによりＤＶＤによる光ディスクに記録している。
【手続補正２】
【補正対象書類名】明細書
【補正対象項目名】０００４
【補正方法】変更
【補正の内容】
【０００４】
ここでＤＶＤレコーダーは、図１２（Ａ）及び（Ｂ）に示すように、ＤＶＤによる光ディスクの情報記録面を最内周よりリードイン領域、ファイルシステム領域、管理情報領域、データ記録領域、リードアウト領域に区切ってビデオデータ及びオーディオデータを記録する。
【手続補正３】
【補正対象書類名】明細書
【補正対象項目名】００１７
【補正方法】変更
【補正の内容】
【００１７】
ＤＳＩ  ＧＩは、当該ＤＳＩ  ＧＩのナビゲーションパックの論理ブロックナンバ、ＶＯＢＵの終了アドレス等のＤＳＩに関する位置情報が一般情報として格納される。ＳＭＬ  ＰＢＩは、シームレスＶＯＢＵのカテゴリ、ＶＯＢ内のビデオの開始時刻及び再生終了時刻、ＶＯＢＵ内のオーディオの再生終了時刻等の、シームレス再生を実現するために必要な情報が格納される。ＳＭＬ  ＡＧＬＩは、アングル変更時の行き先アドレスに関する情報であるシームレス用アングル情報が格納される。このＳＭＬ  ＡＧＬＩは、必要な場合に限って有効な情報が設定される。
【手続補正４】
【補正対象書類名】明細書
【補正対象項目名】００２１
【補正方法】変更
【補正の内容】
【００２１】
このようなＤＶＤの光ディスクへのデータの記録に関して、例えば特開２００４−３１２６６３号公報、特開２００５−７９８２３号公報等には、付加情報による付加情報パックをＶＯＢＵに割り当てて記録することにより、使い勝手を向上する方法が提案されている。
【手続補正５】
【補正対象書類名】明細書
【補正対象項目名】００２３
【補正方法】変更
【補正の内容】
【００２３】
しかしながら実際上、編集結果をＤＶＤの光ディスクに記録する場合、データ圧縮したビデオデータ及びオーディオデータを解析し直してナビゲーションパック（ＮＶ  ＰＣＫ）の作成に必要なデータを取得し直す必要があり、これにより処理に時間を要する問題があった。
【特許文献１】特開２００４−３１２６６３号公報
【特許文献２】特開２００５−７９８２３号公報
【手続補正６】
【補正対象書類名】明細書
【補正対象項目名】００４８
【補正方法】変更
【補正の内容】
【００４８】
制御部５は、ユーザーによる操作に応動して各部の動作を制御し、また撮像結果のモニタ画像を表示する。すなわち制御部５において、時計回路３９は、現在時刻を計測して計測結果をバスＢＵＳに出力し、操作入力インターフェース（操作入力Ｉ／Ｆ）３２は、操作入力部３３を介して検出されるユーザーによる操作をバスＢＵＳを介して処理部３４に通知する。ここで操作入力部３３は、このビデオカメラ２に設けられた各種操作子、表示部３５に設けられたタッチパネル、これらの周辺回路等により構成され、ユーザーによる各種操作を検出する。
【手続補正７】
【補正対象書類名】明細書
【補正対象項目名】００５２
【補正方法】変更
【補正の内容】
【００５２】
またこのようにして撮像結果をモニタできるようにして、ユーザーより記録開始が指示されると、符号化／復号部２１によりビデオデータ及びオーディオデータの符号化処理を開始し、その結果得られるストリーミングデータＤ１を記録媒体２５に記録する。またこのような記録媒体２５への記録に代えて、メモリカード３８への記録が指示されると、出力処理部２７、バスＢＵＳを順次介して、符号化／復号部２１により生成されるストリーミングデータＤ１をメモリカードインターフェース３７に出力し、これによりメモリカード３８に撮像結果を記録する。
【手続補正８】
【補正対象書類名】明細書
【補正対象項目名】００５９
【補正方法】変更
【補正の内容】
【００５９】
この一連の符号化処理において、符号化／復号部２１は、MPEG2により定義されるＧＯＰ構造により順次ピクチャータイプを設定してビデオデータ及びオーディオデータを符号化処理する（図１（Ｂ））。また複数個のＧＯＰにより記録単位であるＲＵＶ（Recording Unit of Video）を形成し（図１（Ａ））、このＲＵＶの１つがＤＶＤフォーマットの１つのセル（Ｃｅｌｌ）に対応するように、１つのＲＵＶのＧＯＰ数を設定してビデオデータ及びオーディオデータを符号化処理する。またＤＶＤフォーマットによるパック構造と同一の、固定データ長によるパック構造によりビデオデータ及びオーディオデータの符号化データをパック化して時分割多重化処理し（図１（Ｃ））、各ＧＯＰの先頭に、プライベートパックによるＭＶパックＭＶＰを設けるようにする。なおここでプライベートパックは、ＭＰＥＧ２のフォーマットにおいて、ユーザーが独自に定義して使用することができるとされているパックであり、これによりＤＶＤフォーマットにおいても、ユーザーが独自に定義して使用することができるパックである。この実施例では、ヘッダの設定によりＭＶパックＭＶＰをプライベートパックに定義する。これにより符号化／復号部２１は、ＭＰＥＧ２のフォーマットによる標準の機器、ＤＶＤフォーマットの標準の機器においては、何らビデオデータ及びオーディオデータの処理に影響を与えないようにＭＶパックＭＶＰを設け、所望のデータをストリーミングデータＤ１に多重化処理する。
【手続補正９】
【補正対象書類名】明細書
【補正対象項目名】００６３
【補正方法】変更
【補正の内容】
【００６３】
ここでこのＭＶパックＭＶＰのアプリケーションに係る情報（MV APL）は、この動画ファイルを記録した機器のベンダー名（VND NAME）、プロダクト名（PRD NAME）、アプリケーションの識別コード（APL ID）、このストリームを記載したものを特定する事が出来るManufacturer Informationデータ（MNFI DATA）、リザーブ（reserved）が順次設けられる。
【手続補正１０】
【補正対象書類名】明細書
【補正対象項目名】００９２
【補正方法】変更
【補正の内容】
【００９２】
これらビデオカメラ２における一連の処理において、ビデオデータ及びオーディオデータの符号化データは（図１）、ＤＶＤによる光ディスクに記録することを見越して、ＤＶＤフォーマットによるストリーミングデータと同一の固定データ長のパックにより多重化処理されてストリーミングデータＤ１が生成される。これによりビデオカメラ２では、ＤＶＤによる光ディスクのストリーミングデータＤ１に変換する際の処理を簡略化することができ、その分、ＤＶＤの光ディスクの記録に要する時間を従来に比して短くすることができる。
【手続補正１１】
【補正対象書類名】明細書
【補正対象項目名】０１００
【補正方法】変更
【補正の内容】
【０１００】
これら一連の処理において、この編集装置３にダウンロードされた動画ファイルは、ＲＵＶ、ＧＯＰがそれぞれセル（Ｃｅｌｌ）、ＶＯＢＵに設定され、さらにＭＶパックの記録によりナビゲーションパックが作成され、ＤＶＤフォーマットによるストリーミングデータに変換される。これにより編集装置３では、ＤＶＤの光ディスクの記録に要する時間を従来に比して格段的に短くすることができる。
【手続補正１２】
【補正対象書類名】明細書
【補正対象項目名】０１１１
【補正方法】変更
【補正の内容】
【０１１１】
これによりコンテンツサーバー７２は、ＤＶＤフォーマットによる固定データ長のパックにより、ビデオデータ及びオーディオデータをデータ圧縮した符号化データを時分割多重化したストリーミグデータを、伝送路により接続されたコンテンツクライアント７３に送出する。またこのようにして多重化して生成されたストリーミングデータにおけるビデオデータ及びオーディオデータのパックを解析しなければ取得困難な特定情報であって、このストリーミングデータの再生に必要な特定情報を、ＧＯＰ毎に、ストリーミングデータのプライベートパックにより多重化してストリーミングデータを送出する。
【手続補正１３】
【補正対象書類名】明細書
【補正対象項目名】０１１８
【補正方法】変更
【補正の内容】
【０１１８】
ここでこの編集システムでは、オーサリング処理に必要な情報を別途、プライベートパックによる追加記録情報パック（ＡＲＩ  ＰＣＫ）によりストリーミングデータに多重化する。ここでこの追加記録情報パック（ＡＲＩ  ＰＣＫ）は、図１１に示すように、記録時間情報、撮像時に係る条件の情報等により形成される。
【手続補正１４】
【補正対象書類名】図面
【補正対象項目名】図３
【補正方法】変更
【補正の内容】
【図３】
2007150674.tif 000001
【手続補正１５】
【補正対象書類名】図面
【補正対象項目名】図１１
【補正方法】変更
【補正の内容】
【図１１】
2007150674.tif 000002